(57)【要約】      （修正有）【課題】付加価値遠隔表示サービスの無線ルーティングサーボ装置および方法を提供する。【解決手段】付加価値遠隔表示サービスの無線ルーティングサーボ装置１において、少なくとも１つのユーザー端画像送信装置１０は、有線又は無線地域ネットワークを介して付加価値ルーティングサーバー２０に少なくとも1つの画像データを送信する。付加価値ルーティングサーバーは、ネットワーク帯域幅およびデータ処理の容量に応じて、ユーザー端画像送信装置によって送信される各画像データの倍率またはサムネイル解像度および予定表示位置をあらかじめ正規化して割り当て、対応する画像表示画面データを表示先画像表示装置３０に送信する。トリガ装置４０は、トリガ操作ボタンを押すことにより、ユーザー端画像送信装置が、画像拡大表示および画像予定表示位置調整の要求コマンドを付加価値ルーティングサーバーに提示する。【選択図】図１
2020014192.tif 000002
【特許請求の範囲】
【請求項１】
付加価値遠隔表示サービスの無線ルーティングサーバー装置であり、以下を含み、
少なくとも１つのユーザー端画像送信装置を有し、前記単一または複数のユーザー端画像送信装置はそれぞれ、少なくとも１つの画像データを送信することができ、
少なくとも１つの付加価値ルーティングサーバーを有し、有線または無線地域ネットワーク接続を介して、前記ユーザー端画像送信装置から画像データを受信し、そして、前記付加価値ルーティングサーバーは、ネットワーク帯域幅およびデータ処理の容量に応じて、前記ユーザー端画像送信装置によって送信された画像データの拡大解像度またはサムネイル画像の解像度および予定表示位置の事前表示データとコマンドとを前記記ユーザー端画像送信装置に送信され、前記ユーザー端画像送信装置は、データおよびコマンドに従って前記画像データの画像解像度を事前に調整し、前記付加価値ルーティングサーバーは少なくとも１つの対応する画像表示画面データを出力し、
少なくとも１つの表示先画像表示装置を有し、前記付加価値ルーティングサーバーを有線または無線で接続し、前記付加価値ルーティングサーバーから出力された前記画像表示画面データを受信して表示し、
複数のトリガ操作ボタンを有する少なくとも１つのトリガ装置が設けられ、前記トリガ装置は前記ユーザー端画像送信装置に接続され、前記トリガ装置は、前記ユーザー端画像送信装置が対応するトリガ制御信号を受信することを可能にするために前記トリガ操作ボタンを押すことができ、その後、画像拡大表示および画像予定表示位置の調整要求コマンドを前記付加価値ルーティングサーバーに提示できることを特徴とする、付加価値遠隔表示サービスの無線ルーティングサーバー装置。
【請求項２】
前記ユーザー端画像送信装置はオペレーティングシステムを有し、少なくとも１つのＵＳＢインターフェースと無線または有線送信装置を備えることを特徴とする、請求項１に記載の付加価値遠隔表示サービスの無線ルーティングサーバー装置。
【請求項３】
前記ユーザー端画像送信装置は少なくとも１つの画像データ拡大またはサムネイル処理出力機能を有することを特徴とする、請求項１に記載の付加価値遠隔表示サービスの無線ルーティングサーバー装置。
【請求項４】
前記ユーザー端画像送信装置がノートブックコンピューターであることを特徴とする、請求項１に記載の付加価値遠隔表示サービスの無線ルーティングサーバー装置。
【請求項５】
前記ユーザー端画像送信装置がタブレットコンピューターであることを特徴とする、請求項１に記載の付加価値遠隔表示サービスの無線ルーティングサーバー装置。
【請求項６】
前記ユーザー端画像送信装置が前記付加価値ルーティングサーバーを介して外部の国際インターネットに接続できることを特徴とする、請求項１に記載の付加価値遠隔表示サービスの無線ルーティングサーバー装置。
【請求項７】
前記ユーザー端画像送信装置は前記付加価値ルーティングサーバーとは、同じ地域ネットワーク接続関係に属することを特徴とする、請求項１に記載の付加価値遠隔表示サービスの無線ルーティングサーバー装置。
【請求項８】
前記ユーザー端画像送信装置は、あらかじめ設定された無線または有線ネットワーク送信装置画像送信プロトコルを介して、拡大またはサムネイル画像処理の画像プロトコル情報および画像データを前記付加価値ルーティングサーバーに送信することを特徴とする、請求項１に記載の付加価値遠隔表示サービスの無線ルーティングサーバー装置。
【請求項９】
前記ユーザー端画像送信装置は、前記付加価値ルーティングサーバーによってあらかじめ割り当てられた前記ユーザー端画像送信装置によって送信される画像データの拡大解像度またはサムネイル画像の解像度および予定表示位置に関する予定表示データとコマンド要求に従い、画像送信解像度を前処理し、元の画像データの画像解像度を拡大または縮小してから画像処理を行い、前記付加価値ルーティングサーバーに送信することを特徴とする、請求項１に記載の付加価値遠隔表示サービスの無線ルーティングサーバー装置。
【請求項１０】
前記ユーザー端画像送信装置は、前記付加価値ルーティングサーバーに送信される画像データとして、前記ユーザー端画像送信装置のディスプレイから出力される画面画像を直接取り込む根拠とすることを特徴とする、請求項１に記載の付加価値遠隔表示サービスの無線ルーティングサーバー装置。
【請求項１１】
前記ユーザー端画像送信装置は、前記ユーザー端画像送信装置内部のソフトウエア仮想ディスプレイに表示されている画面の画像データを直接取り込む前記付加価値ルーティングサーバーに画像データを送信する根拠とすることを特徴とする、請求項１に記載の付加価値遠隔表示サービスの無線ルーティングサーバー装置。
【請求項１２】
前記付加価値ルーティングサーバーは、前記ユーザー端画像送信装置との間の画像データ送信プロトコルに従って複数の異なるユーザー端画像送信装置が送信した画像データの広告表示モードを受信するか又は単一のユーザー端画像送信装置が送信した画像データの投影表示モードを受信することを特徴とする、請求項１に記載の付加価値遠隔表示サービスの無線ルーティングサーバー装置。
【請求項１３】
前記付加価値ルーティングサーバーが複数のユーザー端画像送信装置の画像データを受け付ける場合には、各画像の表示位置配置を自動的に行うことができることを特徴とする、請求項１に記載の付加価値遠隔表示サービスの無線ルーティングサーバー装置。
【請求項１４】
前記付加価値ルーティングサーバーは、少なくとも１つのルーターシステムユニットおよび少なくとも1つの遠隔表示サーボユニットを含み、
前記の少なくとも１つのルーターシステムユニットは、前記ユーザー端画像送信装置を有線または無線地域ネットワーク方式で接続して、前記ユーザー端画像送信装置によって送信された画像送信プロトコルおよび画像データを取得し、そして、前記ユーザー端画像送信装置の画像データの拡大解像度またはサムネイル画像の解像度および予定表示位置の事前表示データとコマンドとを前記ユーザー端画像送信装置にあらかじめ割り当てられて送信し、
前記の少なくとも１つの遠隔表示サーボユニットは、前記ルーターシステムユニットおよび前記表示先画像表示装置に接続され、前記ユーザー端画像送信装置によって送信された画像送信プロトコルおよび画像データを受信し、そして、前記画像データの表示画面の解像度と配置表示位置とを処理して決定し、前記ユーザー端画像送信装置によって送信された画像データの拡大解像度またはサムネイル画像の解像度および予定表示位置の予定表示データとコマンドは、ルーターシステムユニットを介して前記ユーザー端画像送信装置に送信され、そして、少なくとも１つの対応する画像表示画面データを前記表示先画像表示装置に出力することを特徴とする、請求項１に記載の付加価値遠隔表示サービスの無線ルーティングサーバー装置。
【請求項１５】
前記付加価値ルーティングサーバーのルーターシステムユニットは少なくとも1つの地域ネットワーク／広域ネットワーク接続ポートと、少なくとも１つの無線ネットワークモジュールと、少なくとも1つのネットワークインターフェースと、少なくとも１つのルーティングサーバーユニットとを含み、
前記の少なくとも１つの地域ネットワーク／広域ネットワーク接続ポートは、有線ネットワークにより、前記ユーザー端画像送信装置に接続されて前記ユーザー端画像送信装置によって送信された画像送信プロトコルおよび画像データを受信し、そして、前記ユーザー端画像送信装置の画像データの拡大解像度またはサムネイル画像の解像度および予定表示位置の事前表示データとコマンドとを前記ユーザー端画像送信装置にあらかじめ割り当てられて送信し、
前記の少なくとも１つの無線ネットワークモジュールは、無線ネットワークにより、前記ユーザー端画像送信装置に接続され、前記ユーザー端画像送信装置によって送信された画像送信プロトコルおよび画像データを受信し、そして、前記ユーザー端画像送信装置の画像データの拡大解像度またはサムネイル画像の解像度および予定表示位置の事前表示データとコマンドとを前記ユーザー端画像送信装置にあらかじめ割り当てられて送信し、
前記の少なくとも１つのネットワークインターフェースは前記地域ネットワーク／広域ネットワーク接続ポート、無線ネットワークモジュール、および前記遠隔表示サーボユニットにそれぞれ接続され、前記ユーザー端画像送信装置によって送信された画像送信プロトコルおよび画像データを受信し、そして、前記遠隔表示サーボユニットは、前記ネットワークインターフェースを介して、前記ユーザー端画像送信装置によって送信された画像データの拡大解像度またはサムネイル画像の解像度および予定表示位置の事前表示データとコマンドとを前記地域ネットワーク／広域ネットワーク接続ポート、無線ネットワークモジュールにあらかじめ割り当てられて送信し、
前記の少なくとも１つのルーティングサーバーユニットは、前記ネットワークインターフェースに接続され、前記ネットワークインターフェースのユーザー端画像送信装置によって送信された画像送信プロトコルおよび画像データを受信することを特徴とする、請求項１４に記載の付加価値遠隔表示サービスの無線ルーティングサーバー装置。
【請求項１６】
前記付加価値ルーティングサーバーの遠隔表示サーボユニットは、無線画像送信機能を有することを特徴とする、請求項１に記載の付加価値遠隔表示サービスの無線ルーティングサーバー装置。
【請求項１７】
前記表示先画像表示装置は投影表示装置によって構成されることを特徴とする、請求項１に記載の付加価値遠隔表示サービスの無線ルーティングサーバー装置。
【請求項１８】
前記表示先画像表示装置はノートブックコンピューターで構成されていることを特徴とする、請求項１に記載の付加価値遠隔表示サービスの無線ルーティングサーバー装置。
【請求項１９】
前記表示先画像表示装置はタブレットコンピューターで構成されていることを特徴とする、請求項１に記載の付加価値遠隔表示サービスの無線ルーティングサーバー装置。
【請求項２０】
前記表示先画像表示装置はスマートフォンで構成されていることを特徴とする、請求項１に記載の付加価値遠隔表示サービスの無線ルーティングサーバー装置。
【請求項２１】
前記表示先画像表示装置は無線画像受信機能付き液晶ディスプレイで構成されていることを特徴とする、請求項１に記載の付加価値遠隔表示サービスの無線ルーティングサーバー装置。
【請求項２２】
前記トリガ装置は、前記ユーザー端画像送信装置を接続するための少なくとも１つのＵＳＢインターフェースコネクタを備えることを特徴とする、請求項１に記載の付加価値遠隔表示サービスの無線ルーティングサーバー装置。  
【請求項２３】
前記トリガ装置は、前記ユーザー端画像送信装置を無線で接続するための少なくとも１つの無線送信インターフェースを備えていることを特徴とする、請求項１に記載の付加価値遠隔表示サービスの無線ルーティングサーバー装置。
【請求項２４】
前記トリガ装置はスマートフォンで構成されていることを特徴とする、請求項１に記載の付加価値遠隔表示サービスの無線ルーティングサーバー装置。
【請求項２５】
前記トリガ装置はタブレットコンピューターで構成されていることを特徴とする、請求項１に記載の付加価値遠隔表示サービスの無線ルーティングサーバー装置。
【請求項２６】
前記トリガ装置のトリガ操作ボタンは、前記スマートフォンの仮想タッチボタン画面によって構成されていることを特徴とする、請求項１に記載の付加価値遠隔表示サービスの無線ルーティングサーバー装置。
【請求項２７】
一種の付加価値遠隔表示サービスの無線ルーティングサーボ方法は以下のステップを含み、
（Ａ）ユーザー端画像送信装置が接続が可能な付加価値ルーティングサーバーを検索し、少なくとも１つのユーザー端画像送信装置が有線または無線地域ネットワーク方式で少なくとも１つの付加価値ルーティングサーボを検索し、
（Ｂ）ユーザー端画像送信装置が前記接続が可能な付加価値ルーティングサーバーに接続され、ステップ（Ａ）における少なくとも１つのユーザー端画像送信装置は、有線または無線地域ネットワーク接続ステップ（Ａ）において、前記ユーザー端画像送信装置を介して接続が可能な少なくとも１つの付加価値ルーティングサーバーを検索し、
（Ｃ）付加価値ルーティングサーバーは、前記ユーザー端画像送信装置の画像表示解像度と表示位置をあらかじめ決めておいて、前記ステップ（Ｂ）によって接続された付加価値ルーティングサーバーは、前記ネットワーク帯域幅およびデータ処理の容量に従って、前記ユーザー端画像送信装置によって送信される画像データの拡大解像度またはサムネイル画像の解像度および予定表示位置の事前表示データとコマンドとを前記ユーザー端画像送信装置にあらかじめ割り当てられて送信し、
（Ｄ）ユーザー端画像送信装置は、前記画像データの画像解像度を調整し、ステップ（Ｃ）のユーザー端画像送信装置は、前記付加価値ルーティングサーバーの事前表示されたデータおよびのコマンドに従って、前記ユーザー端画像送信装置の画像表示解像度を調整し、
（Ｅ）付加価値ルーティングサーバーは、前記ユーザー端画像送信装置に送信プロトコルを送信し、前記ステップ（Ｃ）の付加価値ルーティングサーバーは、ステップ（Ｄ）における全てのユーザー端画像送信装置の表示要求数に従って、各ユーザー端画像送信装置が送信すべき画像表示データの表示ピクチャサイズ、地域アドレス、ピクチャサウンド、マウスカーソル、および送信停止などの送信プロトコル要求はそれぞれの前記ユーザー端画像送信装置に送信され、
（Ｆ）ユーザー端画像送信装置は、調整後の映像表示データを付加価値ルーティングサーバーに送信し、前記ステップ（Ｅ）のユーザー端画像送信装置は、前記ステップ（Ｅ）の付加価値ルーティングサーバーによって各前記ユーザー端画像送信装置に送信された送信プロトコルに調整済み画像データを前記付加価値ルーティングサーバーに送信し、
（Ｇ）付加価値ルーティングサーバーは、画像表示画面データを少なくとも１つの表示先画像表示装置に画像表示画面データを出力して表示し、前記ステップ（Ｆ）の付加価値ルーティングサーバーは、各ユーザー端画像送信装置によって送信された調整済み画像表示データを自動的に配置したのち、画像表示画面データを少なくとも１つの表示先画像表示装置に表示のために出力し、
（Ｈ）前記ユーザー端画像送信装置によって発行された表示画面調整要求はあるか。すなわち、前記ステップ（Ｆ）の付加価値ルーティングサーバーは、前記ユーザー端画像送信装置が全画面、複数画面、複数画面および変位画面要求メッセーを発行したかどうかを検出し、そうであればステップ（Ｈ１）に進み、そうでない場合はステップ（Ｇ）を繰り返し、
（Ｈ１）付加価値ルーティングサーバーが表示画面調整処理を受信し、前記ステップ（Ｈ）の付加価値ルーティングサーバーがユーザー端画像送信装置の全画面、複数画面、または変位画面要求メッセージに従って表示画面の配置を再調整してステップ（Ｅ）を繰り返すことを特徴とする、付加価値遠隔表示サービスの無線ルーティングサーボ方法。
【請求項２８】
前記ステップ（Ｃ）の付加価値ルーティングサーバーは、前記ネットワーク帯域幅およびデータ処理の容量に基づいており、前記付加価値ルーティングサーバーに接続された前記ユーザー端画像送信装置の数、および付加価値ルーティングサーバーによって処理される画像データ量の限界を含むが、これらに限定されないことを特徴とする、請求項２７に記載の付加価値遠隔表示サービスの無線ルーティングサーボ方法。
【請求項２９】
前記ステップ（Ｆ）のユーザー端画像送信装置は、調整された画像データを付加価値ルーティングサーバーに送信し、前記ユーザー端画像送信装置は前記画像データの送信中、前記画像データは前記ネットワーク通信の品質に応じて圧縮されても圧縮されなくてもよいことを特徴とする、請求項２７に記載の付加価値遠隔表示サービスの無線ルーティングサーボ方法。
【請求項３０】
前記ステップ（Ｈ）のユーザー端画像送信装置は、複数のトリガ操作ボタンを有する少なくとも１つのトリガ装置に接続されており、前記トリガ装置のトリガ操作ボタンを押す操作により、前記ユーザー端画像送信装置は、全画面、複数の画面、および変位画面要求メッセージを前記付加価値ルーティングサーバーに発行できることを特徴とする、請求項２７に記載の付加価値遠隔表示サービスの無線ルーティングサーボ方法。
【発明の詳細な説明】
【技術分野】
【０００１】
本発明は、付加価値遠隔表示サービスの無線ルーティングサーボ装置および方法に関する。特に、１つまたは複数のユーザー端画像送信装置によって送信される少なくとも１つのサムネイル画像データおよび表示画面を受信および配置するための少なくとも１つの付加価値ルーティングサーバーがある。そして、付加価値ルーティングサーバーによって少なくとも１つの表示先画像表示装置に送信して表示させるための装置および方法である。
【背景技術】
【０００２】
マルチメディア広告画像のリアルタイム（ＲＥＡＬ ＴＩＭＥ）送信および表示は現在発達しているネットワーク電気通信技術環境として必要な機能と要求である。例えば、商取引広告カタログ、ケータリング注文カタログ、製品情報ウォール、求人掲示板などの複数のネットワークチャネルにおけるコマーシャル広告またはメディアブリーフィングは広告情報およびブリーフィングコンテンツを迅速に送信し、読み、応答できる。
しかしながら、ネットワーク帯域幅および限られたリソースの現在の状態では、複数のユーザーが高解像度画像をリモートサーバーまたはクラウドサーバーに送信すると、画像メディアコンテンツは一つずつ表示されることが要求され、画像データの大容量に加えて、より高い帯域幅を必要とし、ネットワーク送信をより遅くするかまたはより効率が悪くする。特に、同じ有線地域ネットワーク（ＬＡＮ）または無線地域ネットワーク（ＷＬＡＮ）の複数のユーザーが同時に少なくとも１つの画像を送信するプロセスでは、ネットワーク帯域幅は非常に不足であり、遅延送信が発生する。しかしながら、より高価なネットワークサーバーデバイスまたはクラウドサーバーおよびネットワーク帯域幅リソースをアップグレードする必要性はより高い機器構築コストを必要とし、これは産業的利用の経済的利益と矛盾する。
【０００３】
米国特許番号第８，７５６，３４８号「会議のための電子ツールおよび方法」の発明のような、関連する先行特許において、「会議中にユーザーから任意のメディアコンテンツを配信するための電子会議ツールであり、その電子会議ツールは通信ネットワークを操作するように構成されたディスプレイノード（３６）のノード構成を有し、ディスプレイノード（３６）は第１ディスプレイ（４４）に接続され、ディスプレイノード（３６）構成はさらにユーザーが受信した任意のメディアコンテンツを選択し、第１ディスプレイ（４４）に表示するメディアコンテンツを制御する。電子会議ツールはさらに通信ネットワークを介してユーザーによって選択された任意のメディアコンテンツを送信するように構成された少なくとも１つの周辺機器を有する。周辺装置は接続ユニット（４７）と、処理装置（３１）上にロードされ処理装置のオペレーティングシステム上で実行されるように構成されたプログラムと、ユーザーが行動を実行することを可能にする入力装置（４８）とを含む。接続ユニット（４７）は第２ディスプレイを有する処理装置（３１）のポート（ｐｏｒｔ）と、メモリおよびオペレーティングシステムに接続されるように構成されたコネクタと、通信ネットワークと通信するための送信機（６２）とを含む。プログラムは、ユーザーによって選択された任意のメディアコンテンツを取得するように構成され、プログラムは終了時にゼロフットプリントを残す。ユーザーの動作は、ポートを介してユーザーによって選択された任意のメディアコンテンツの送信機（６２）への転送をトリガする。」と述べた多人数会議のメディア表示ツールと技術が明らかにされている。しかしながら、この特許出願は上述の従来技術のようなものであり、ユーザー端末が受信側の受信機（６３）とベースノードまたはディスプレイノード（３６）とに同時に大容量かつ高解像度の画像および画像ファイルを送信すると、巨大なネットワーク帯域幅と画像表示処理リソースを消費しなければならない。設備全体の費用と建設費用は非常に高くなり、産業的利用と経済的利益が大幅に減少する。さらに、このツールアーキテクチャによれば、それは、少人数の小規模会議のメディア送信および再生のためのアプリケーションにのみ限定され得る。これは、多人数のマルチプロフィールデータ会議やマルチメディアビデオ広告、ビデオウォールのプレビュー、などのアプリケーションには適用できないため、そのアプリケーション範疇は大幅に制限される。
【０００４】
また、上記米国特許の図１０に開示されている独立型周辺機器の態様は、特許出願の特許明細書の段落２５の１２行目から４３行目に記載されている。ホストコンピューターとしてのユーザー処理装置のプラグアンドプレイインターフェースのため、接続ユニット（４７）が単一のコネクタの形態で物理的装置を配置する。たとえば、USB接続、ホストへのアクティブなデータと電源の接続、コネクタとベース、およびアクチュエータ付きのアクチュエータである。例えば、上記のような機能を有する入力装置（４８）として構成されたボタンであるが、この独立した周辺装置は、無線ＷＩＦＩ送信インターフェースタイプ、携帯が可能なメモリ、視覚的インジケータ、アクチュエータ、入力装置、データおよび電力接続などの複数の装置および機能を組み込んで、ホストと接続するための電源とデータ送信を提供する。したがって、独立型の可搬型物理接続部（４７）は、大容量のメディアデータを送信する際において、より多くの無線データ送信帯域を占有しなければならないため、大電力で動作する電源を得るには、ケーブル接続でホストへの接続を制限する必要がある。高電源機能を備えたユーザー端ホスト装置での使用を制限することが必要であり、これは独立接続ユニット（４７）の適用範囲拡大を助長せず、その適用タイプを制限する。例えば、独立型接続ユニット（４７）は、電力供給が制限されているスマートフォンまたはタブレットと組み合わせて使用することはできない。
【０００５】
さらに、類似の発明が、米国特許第９，０８３，７６９号の「会議用の電子ツールおよび方法」の発明、および米国特許第９，７２２，９８６号の「会議用の電子ツールおよび方法」に開示されている。
【先行技術文献】
【特許文献】
【０００６】
【特許文献１】米国特許第８，７５６，３４８号明細書
【特許文献２】米国特許第９，０８３，７６９号明細書
【特許文献３】米国特許第９，７２２，９８６号明細書
【特許文献４】中国特許第ＣＮ２０６７５９４９２Ｕ号公報
【発明の概要】
【発明が解決しようとする課題】
【０００７】
上述した従来技術および特許では、大量のネットワーク帯域幅およびグラフィック表示処理リソースを消費する必要があり、そのため全体の装置コストが高く、設置コストがかなり高くなり、それによって産業的利用および経済的利益が大幅に減少する。さらに、ツールアーキテクチャは、少人数の小規模会議用のメディア送信および再生に限定する問題および欠点がある。
【０００８】
「写真を自動的にアップロードするための３Ｇ／４Ｇベースの無線ルーター装置」中国実用新案は、ＩＥＥＥ１５８８ ＰＴＰ精密時間プロトコルに従ってデジタルカメラによって撮影された写真を自動的にクラウドストレージシステムへアップロードする技術が開示されている。しかしながら、この中国実用新案の無線ルーターー装置は、大容量デジタルカメラで撮影したデジタル写真を自動的に一つずつリモートクラウドストレージシステムに転送するだけであるため、高い無線ネットワーク帯域幅と機器コストおよび電力が必要となる。そして他のアプリケーション機能や用途を提供できなくなり、産業的利用と経済的利益が大幅に減少する。
【課題を解決するための手段】
【０００９】
上記問題を解決するため、本発明の主な目的は、本発明は、付加価値遠隔表示サービスの無線ルーティングサーボ装置および方法を提供し、上述の従来技術およびさまざまな特許前例の画像データ送信において、大量の帯域幅、高い設備コストおよびネットワーク送信リソースが必要とされ、少人数による小規模会議のメディアの送信、再生および写真を自動的にクラウドストレージシステムにアップロードするという単調機能に限定することしかできない。多人数のマルチプロファイルデータ会議やマルチメディアビデオ広告、プレビュービデオウォール、その他のアプリケーションなど、産業上の利益に資するものではない問題や欠点には、もはや適用できない。
【００１０】
したがって、本発明の付加価値遠隔表示サービスの無線ルーティングサーバー装置は以下を含む。
少なくとも１つのユーザー端画像送信装置を有し、前記単一または複数のユーザー端画像送信装置はそれぞれ、少なくとも１つの画像データを送信できる。
少なくとも１つの付加価値ルーティングサーバーを有し、有線または無線地域ネットワーク接続を介して、前記ユーザー端画像送信装置から画像データを受信する。そして、前記付加価値ルーティングサーバーは、ネットワーク帯域幅およびデータ容量に応じて、前記ユーザー端画像送信装置によって送信される画像データの拡大解像度またはサムネイル画像の解像度および予定表示位置の事前表示データとコマンドとを前記ユーザー端画像送信装置に送信される。
前記ユーザー端画像送信装置は、データおよびコマンドに従って画像データの画像解像度を事前に調整し、前記付加価値ルーティングサーバーは少なくとも１つの対応する画像表示画面データを出力する。
少なくとも１つの表示先画像表示装置を有し、前記付加価値ルーティングサーバーを有線または無線で接続し、前記付加価値ルーティングサーバーから出力された画像表示画面データを受信して表示する。
複数のトリガ操作ボタンを有する少なくとも１つのトリガ装置が設けられ、前記トリガ装置は前記ユーザー端画像送信装置に接続されている。前記トリガ装置は、前記ユーザー端画像送信装置が対応するトリガ制御信号を受信することを可能にするためにトリガ操作ボタンを押すことができ、その後、画像拡大表示および画像予定表示位置の調整要求コマンドを前記付加価値ルーティングサーバーに提示できる。 
【００１１】
本発明の付加価値遠隔表示サービスの無線ルーティングサーバー装置において、ユーザー端画像送信装置はＷＩＮＤＯＷＳ（登録商標）オペレーティングシステムを有し、少なくとも１つのＵＳＢインターフェースと無線または有線イーサネット送信装置を備える。
【００１２】
本発明の付加価値遠隔表示サービスの無線ルーティングサーバー装置において、ユーザー端画像送信装置は少なくとも１つの画像データ拡大またはサムネイル処理出力機能を有することを特徴とする。
【００１３】
本発明の付加価値遠隔表示サービスの無線ルーティングサーバー装置において、ユーザー端画像送信装置がノートブックコンピューターであることを特徴とする。
【００１４】
本発明の付加価値遠隔表示サービスの無線ルーティングサーバー装置において、ユーザー端画像送信装置がタブレットコンピューターであることを特徴とする。
【００１５】
本発明の付加価値遠隔表示サービスの無線ルーティングサーバー装置において、ユーザー端画像送信装置がスマートフォンであることを特徴とする。
【００１６】
本発明の付加価値遠隔表示サービスの無線ルーティングサーバー装置において、ユーザー端画像送信装置が付加価値ルーティングサーバーを介して外部の国際インターネットに接続できる。
【００１７】
本発明の付加価値遠隔表示サービスの無線ルーティングサーバー装置において、ユーザー端画像送信装置は付加価値ルーティングサーバーとは、同じ地域ネットワーク接続関係に属するのである。
【００１８】
本発明の付加価値遠隔表示サービスの無線ルーティングサーバー装置において、ユーザー端画像送信装置は、あらかじめ設定された無線または有線ネットワーク送信装置画像送信プロトコルを介して、拡大またはサムネイル画像処理の画像プロトコル情報および画像データを付加価値ルーティングサーバーに送信する。
【００１９】
本発明の付加価値遠隔表示サービスの無線ルーティングサーバー装置において、ユーザー端画像送信装置は、内部にあらかじめ記憶された少なくとも１つの送信プロトコルメッセージ、映像音声データを付加価値ルーティングサーバー機能のソフトウエアに送信される。
【００２０】
本発明の付加価値遠隔表示サービスの無線ルーティングサーバー装置において、ユーザー端画像送信装置は、付加価値ルーティングサーバーによってあらかじめ割り当てられ、ユーザー端画像送信装置によって送信される画像データの拡大解像度またはサムネイル画像の解像度および予定表示位置に関する予定表示データおよびコマンド要求に従い、画像送信解像度を前処理し、元の画像データの画像解像度を拡大または縮小してから画像処理を行い、付加価値ルーティングサーバーに送信する。
【００２１】
本発明の付加価値遠隔表示サービスの無線ルーティングサーバー装置において、ユーザー端画像送信装置は、付加価値ルーティングサーバーに送信される画像データとして、ユーザー端画像送信装置のディスプレイから出力される画面画像を直接取り込む根拠とする。
【００２２】
本発明の付加価値遠隔表示サービスの無線ルーティングサーバー装置において、ユーザー端画像送信装置は、ユーザー端画像送信装置内部のソフトウエア仮想ディスプレイに表示されている画面の画像データを直接取得して付加価値ルーティングサーバーに画像データを送信する根拠とする。
【００２３】
本発明の付加価値遠隔表示サービスの無線ルーティングサーバー装置において、付加価値ルーティングサーバーは、ユーザー端画像送信装置との間の画像データ送信プロトコルに従って複数の異なるユーザー端画像送信装置が送信した画像データの広告表示モードを受信するか又は単一のユーザー端画像送信装置が送信した画像データの投影表示モードを受信する。
【００２４】
本発明の付加価値遠隔表示サービスの無線ルーティングサーバー装置において、付加価値ルーティングサーバーが複数のユーザー端画像送信装置の画像データを受け付ける場合には、各画像の表示位置配置を自動的に行うことができる。
【００２５】
本発明の付加価値遠隔表示サービスの無線ルーティングサーバー装置であって、前記付加価値ルーティングサーバーは、少なくとも１つのルーターシステムユニットおよび少なくとも1つの遠隔表示サーボユニットを含む。
少なくとも１つのルーターシステムユニットは、ユーザー端画像送信装置を有線または無線地域ネットワーク方式で接続して、ユーザー端画像送信装置によって送信された画像送信プロトコルおよび画像データを取得する。そして、ユーザー端画像送信装置の画像データの拡大解像度またはサムネイル画像の解像度および予定表示位置の事前表示データとコマンドをユーザー端画像送信装置にあらかじめ割り当てられて送信する。
少なくとも１つの遠隔表示サーボユニットは、ルーターシステムユニットおよび表示先画像表示装置に接続され、ユーザー端画像送信装置によって送信された画像送信プロトコルおよび画像データを受信する。そして、画像データの表示画面の解像度と配置表示位置とを処理して決定し、ユーザー端画像送信装置によって送信された画像データの拡大解像度または縮小された画像解像度および予定表示位置の予定表示データとコマンドは、ルーターシステムユニットを介してユーザー端画像送信装置に送信される。そして、少なくとも１つの対応する画像表示画面データを表示先画像表示装置に出力する。
【００２６】
本発明の付加価値遠隔表示サービスの無線ルーティングサーバー装置において、前記付加価値ルーティングサーバーのルーターシステムユニットは少なくとも1つの地域ネットワーク／広域ネットワーク接続ポートと、少なくとも１つの無線ネットワークモジュールと、少なくとも１つのネットワークインターフェースと、少なくとも１つのルーティングサーバーユニットとを含む。
前記の少なくとも１つの地域ネットワーク／広域ネットワーク接続ポートは、有線ネットワークにより、ユーザー端画像送信装置に接続されて前記ユーザー端画像送信装置によって送信された画像送信プロトコルおよび画像データを受信する。そして、ユーザー端画像送信装置の画像データの拡大解像度またはサムネイル画像の解像度および予定表示位置の事前表示データとコマンドをユーザー端画像送信装置にあらかじめ割り当てられて送信する。
前記の少なくとも１つの無線ネットワークモジュールは、無線ネットワークにより、ユーザー端画像送信装置に接続され、前記ユーザー端画像送信装置によって送信された画像送信プロトコルおよび画像データを受信する。そして、ユーザー端画像送信装置の画像データの拡大解像度またはサムネイル画像の解像度および予定表示位置の事前表示データとコマンドをユーザー端画像送信装置にあらかじめ割り当てられて送信する。
前記の少なくとも１つのネットワークインターフェースは地域ネットワーク／広域ネットワーク接続ポート、無線ネットワークモジュール、および遠隔表示サーボユニットをそれぞれ接続する。前記ユーザー端画像送信装置によって送信された画像送信プロトコルおよび画像データを受信する。そして、遠隔表示サーボユニットは、ネットワークインターフェースを介して、ユーザー端画像送信装置によって送信された画像データの拡大解像度またはサムネイル画像の解像度および予定表示位置の事前表示データとコマンドを地域ネットワーク／広域ネットワーク接続ポート、無線ネットワークモジュールにあらかじめ割り当てられて送信する。
前記の少なくとも１つのルーティングサーバーユニットは、ネットワークインターフェースに接続され、前記ネットワークインターフェースのユーザー端画像送信装置によって送信された画像送信プロトコルおよび画像データを受信する。
【００２７】
本発明の付加価値遠隔表示サービスの無線ルーティングサーバー装置において、前記付加価値ルーティングサーバーの遠隔表示サーボユニットは、無線画像送信機能を有することを特徴とする。
【００２８】
本発明の付加価値遠隔表示サービスの無線ルーティングサーバー装置において、表示先画像表示装置は投影表示装置によって形成される。
【００２９】
本発明の付加価値遠隔表示サービスの無線ルーティングサーバー装置において、表示先画像表示装置はノートブックコンピューターで構成されている。
【００３０】
本発明の付加価値遠隔表示サービスの無線ルーティングサーバー装置において、表示先画像表示装置はタブレットコンピューターで構成されている。
【００３１】
本発明の付加価値遠隔表示サービスの無線ルーティングサーバー装置において、表示先画像表示装置はスマートフォンで構成されている。
【００３２】
本発明の付加価値遠隔表示サービスの無線ルーティングサーバー装置において、表示先画像表示装置は無線画像受信機能付き液晶ディスプレイで構成されている。
【００３３】
本発明の付加価値遠隔表示サービスの無線ルーティングサーバー装置において、トリガ装置は、ユーザー端画像送信装置を接続するための少なくとも１つのＵＳＢインターフェースコネクタを備える。
【００３４】
本発明の付加価値遠隔表示サービスの無線ルーティングサーバー装置において、トリガ装置は、ユーザー端画像送信装置を無線で接続するための少なくとも１つの無線送信インターフェースを備えている。
【００３５】
本発明の付加価値遠隔表示サービスの無線ルーティングサーバー装置において、トリガ装置はスマートフォンで構成されている。
【００３６】
本発明の付加価値遠隔表示サービスの無線ルーティングサーバー装置において、トリガ装置はタブレットコンピューターで構成されている。
【００３７】
本発明の付加価値遠隔表示サービスの無線ルーティングサーバー装置において、トリガ装置のトリガ操作ボタンは、スマートフォンの仮想タッチボタン画面によって形成されている。
【００３８】
本発明の付加価値遠隔表示サービスの無線ルーティングサーバー装置において、トリガ装置のトリガ操作ボタンは、タブレットの仮想タッチボタン画面によって形成されている。
【００３９】
本発明の付加価値遠隔表示サービスの無線ルーティングサーボ方法は以下のステップを含む。
（Ａ）ユーザー端画像送信装置が接続が可能な付加価値ルーティングサーバーを検索し、少なくとも１つのユーザー端画像送信装置が有線または無線地域ネットワーク方式で少なくとも１つの付加価値ルーティングサーボを検索する。
（Ｂ）ユーザー端画像送信装置が接続が可能な付加価値ルーティングサーバーに接続されている。ステップ（Ａ）における少なくとも１つのユーザー端画像送信装置は、有線または無線地域ネットワーク接続ステップ（Ａ）において、ユーザー端画像送信装置を介して接続が可能な少なくとも１つの付加価値ルーティングサーバーを検索する。
（Ｃ）付加価値ルーティングサーバーは、ユーザー端画像送信装置の画像表示解像度と表示位置をあらかじめ決めておく。ステップ（Ｂ）によって接続された付加価値ルーティングサーバーは、ネットワーク帯域幅およびデータ処理の容量に従って、ユーザー端画像送信装置によって送信される画像データの拡大解像度またはサムネイル画像の解像度および予定表示位置の事前表示データとコマンドをユーザー端画像送信装置にあらかじめ割り当てられて送信する。
（Ｄ）ユーザー端画像送信装置は、画像データの画像解像度を調整し、ステップ（Ｃ）のユーザー端画像送信装置は、付加価値ルーティングサーバーの事前表示されたデータおよびコマンドに従って、ユーザー端画像送信装置の画像表示解像度を調整する。
（Ｅ）付加価値ルーティングサーバーは、ユーザー端画像送信装置に送信プロトコルを送信する。ステップ（Ｃ）の付加価値ルーティングサーバーは、ステップ（Ｄ）における全てのユーザー端画像送信装置の表示要求数に従って、各ユーザー端画像送信装置が送信すべき画像表示データの表示ピクチャサイズ、地域アドレス、ピクチャサウンド、マウスカーソル、および送信停止などの送信プロトコル要求はそれぞれのユーザー端画像送信装置に送信される。
（Ｆ）ユーザー端画像送信装置は、調整後の映像表示データを付加価値ルーティングサーバーに送信する。ステップ（Ｅ）のユーザー端画像送信装置は、ステップ（Ｅ）の付加価値ルーティングサーバーによって各ユーザー端画像送信装置に送信された送信プロトコルに調整済み画像データを付加価値ルーティングサーバーに送信する。
（Ｇ）付加価値ルーティングサーバーは、画像表示画面データを少なくとも１つの表示先画像表示装置に画像表示画面データを出力して表示し、ステップ（Ｆ）の付加価値ルーティングサーバーは、各ユーザー端画像送信装置によって送信された調整済み画像表示データを自動的に配置したのち、画像表示画面データを少なくとも１つの表示先画像表示装置に表示のために出力し、
（Ｈ）ユーザー端画像送信装置によって発行された表示画面調整要求はあるか。すなわち、ステップ（Ｆ）の付加価値ルーティングサーバーは、ユーザー端画像送信装置が全画面、複数画面、複数画面および変位画面要求メッセーを発行したかどうかを検出し、そうであればステップ（Ｈ１）に進み、そうでない場合はステップ（Ｇ）を繰り返す。
（Ｈ１）付加価値ルーティングサーバーが表示画面調整処理を受信し、ステップ（Ｈ）の付加価値ルーティングサーバーがユーザー端画像送信装置の全画面、複数画面、または変位画面要求メッセージに従って表示画面の配置を再調整してステップ（Ｅ）を繰り返す。
【００４０】
また、本発明の付加価値遠隔表示サービスの無線ルーティングサーボ方法において、ステップ（Ｃ）の付加価値ルーティングサーバーは、ネットワーク帯域幅およびデータ処理の容量に基づいており、付加価値ルーティングサーバーに接続されたユーザー端画像送信装置の数、および付加価値ルーティングサーバーによって処理される画像データ量の限界を含むが、これらに限定されない。
【００４１】
本発明の付加価値遠隔表示サービスの無線ルーティングサーボ方法において、ステップ（Ｆ）のユーザー端画像送信装置は、調整された画像データを付加価値ルーティングサーバーに送信し、ユーザー端画像送信装置は画像データの送信中、画像データはネットワーク通信の品質に応じて圧縮されても圧縮されなくてもよい。
【００４２】
本発明の付加価値遠隔表示サービスの無線ルーティングサーボ方法において、ステップ（Ｈ）のユーザー端画像送信装置は、複数のトリガ操作ボタンを有する少なくとも１つのトリガ装置に接続されている。トリガ装置のトリガ操作ボタンを押す操作により、ユーザー端画像送信装置は、全画面、複数の画面、および変位画面要求メッセージを付加価値ルーティングサーバーに発行できる。
【発明の効果】
【００４３】
本発明の付加価値遠隔表示サービスの無線ルーティングサーボ装置および方法は、ユーザー端画像送信装置と付加価値ルーティングサーバーとが同一の有線または無線ＬＡＮ装置で接続されている点で有効である。そして、あらかじめ付加価値ルーティングサーバーに接続されるユーザー端画像送信装置の数と、付加価値ルーティングサーバーが画像データを処理する容量の限界とに基づいて、付加価値ルーティングサーバーによって表されるネットワーク帯域幅およびデータ処理の容量により、各ユーザー端画像送信装置によって送信される画像データの画像解像度および表示位置を決定する。各ユーザー端画像送信装置に画像データを送信させるとき、大量のネットワーク帯域幅を消費し占有することなく同じ帯域幅送信を維持することが可能である。そして装置の費用および建設の費用を大幅に減らすことができる。また、本発明は、多人数のマルチプロフィールデータ会議またはマルチメディア画像広告、プレビュービデオウォールなどのようなマルチアプリケーションに適用できる。上述した従来技術および先行特許の画像データ送信は、広い帯域幅を占め、高い設備コストおよびネットワーク送信リソースを必要とし、少人数の小さな会議の画像送信に限定され、写真を自動的にクラウドストレージシステムにアップロードする単調的な機能、マルチアプリケーションができないという問題と欠点に対して、本発明は完全に排除できる。さらに、本発明においてユーザー端画像送信装置に接続されたトリガ装置は、大量の電力を消費しない。ユーザー端画像送信装置は、有線または無線で接続できる。また、ユーザーがトリガボタンを押してユーザー端画像送信装置は全画面、複数画面、および変位画面要求メッセージを付加価値ルーティングサーバーに送信できる。付加価値ルーティングサーバーは、ユーザーのニーズに応じて対応する画像データの表示解像度の調整、全画面表示または表示位置の調整、さらに本発明の適用範囲および産業上の利用価値の向上を図ることができる。
【図面の簡単な説明】
【００４４】
【図１】本発明の付加価値遠隔表示サービスの無線ルーティングサーボ装置の第１実施形態のシステムブロック図である。
【図２】本発明の付加価値遠隔表示サービスの無線ルーティングサーボ装置における付加価値ルーティングサーバーのブロック図である。
【図３】本発明の付加価値遠隔表示サービスの無線ルーティングサーボ装置の第２実施形態のブロック図である。
【図４】本発明の付加価値遠隔表示サービスの無線ルーティングサーボ装置の第１適用例を示すブロック図である。
【図５】本発明の付加価値遠隔表示サービスの無線ルーティングサーボ装置の第２適用例を示すブロック図である。
【図６】本発明の付加価値遠隔表示サービスのための無線ルーティングサーボ方法のフローチャートである。
【発明を実施するための形態】
【００４５】
図１および図２に示されているのは本発明の付加価値遠隔表示サービスの無線ルーティングサーボ装置１００の第１実施形態である。前記装置１００は少なくとも１つのユーザー端画像送信装置１０を含み、単一または複数のユーザー端画像送信装置１０はそれぞれ少なくとも１つの画像データ１０Ａを送信できる。言い換えれば、単一のユーザー端画像送信装置１０によって複数の画像データ１０Ａを送信もできる。ユーザー端画像送信装置１０は、ウィンドウズ（ＷＩＮＤＯＷＳ）、アンドロイド（Ａｎｄｒｏｉｄ）またはアップル（Ａｐｐｌｅ ＯＳ）オペレーティングオペレーティングシステムを有し、少なくとも１つの画像データ１０Ａ拡大解像度またはサムネイル処理出力機能を有する。ユーザー端画像送信装置１０は、少なくとも１つのＵＳＢインターフェース１１、無線ネットワーク送信装置１２、および有線イーサネット送信装置を備える。ユーザー端画像送信装置１０の種類は限定されないが、本発明ではノートパソコンを例に挙げて説明したが、他の同等のタブレット型コンピューターおよびスマートフォンは本発明の範囲を逸脱しない。
【００４６】
少なくとも１つの付加価値ルーティングサーバー２０は、有線または無線の地域ネットワークに接続され使用することによって、ユーザー端画像送信装置１０から画像データを受信する。ユーザー端画像送信装置１０と付加価値ルーティングサーバー２０は、同じ地域ネットワーク接続関係にある。ユーザー端画像送信装置１０は、付加価値ルーティングサーバー２０を介して外部の国際インターネットに接続できる。ユーザー端画像送信装置１０は、あらかじめ設定された無線または有線ネットワーク送信装置画像送信プロトコルを使用することによって、拡大またはサムネイル処理された画像プロトコルメッセージおよび画像データ１０Ａは、付加価値ルーティングサーバー２０に送信される。拡大またはサムネイル処理された画像プロトコルメッセージはまた、カスタマイズされた送信プロトコルを使用してユーザー端画像送信装置１０によって付加価値ルーティングサーバー２０に送信できる。付加価値ルーティングサーバー２０は、ネットワーク帯域幅および処理するデータの容量に応じて、前記ユーザー端画像送信装置１０によって送信される画像データの拡大解像度またはサムネイル画像の解像度および予定表示位置の事前表示データとコマンドとを前記ユーザー端画像送信装置１０に送信される。前記ユーザー端画像送信装置１０は、データおよびコマンドに従って画像データの画像解像度を事前に調整し、前記付加価値ルーティングサーバー２０は少なくとも１つの対応する画像表示画面データ２１を出力する。ユーザー端画像送信装置１０は、内部にあらかじめ記憶された少なくとも１つの送信プロトコルメッセージ、映像音声データを付加価値ルーティングサーバー２０機能のソフトウエアに送信される。付加価値ルーティングサーバーが複数のユーザー端画像送信装置１０の画像データ１０Ａの表示画面（例えば、図４のサブピクチャ２１０、２２０、２３０、２４０、２５０、２６０、２７０、および２８０、または図５のサブピクチャ３１０、３２０、３３０、３４０、３５０、３６０、３７０、および３８０に示すように）を受け付ける場合には、各画像の表示位置配置を自動的に行うことができる。
【００４７】
ユーザー端画像送信装置１０は、付加価値ルーティングサーバー２０に送信される画像データ１０Ａとして、ユーザー端画像送信装置１０のディスプレイ（図示せず）から出力される画面画像を直接取り込むことができる。または、ユーザー端画像送信装置１０は、ユーザー端画像送信装置内部のソフトウエア仮想ディスプレイ（図示せず）に表示される画面の画像データを直接取り込んで付加価値ルーティングサーバー２０に画像データ１０Ａを送信する根拠とできる。
【００４８】
付加価値ルーティングサーバー２０は、ユーザー端画像送信装置１０との間の画像データ１０Ａの送信プロトコルに従って、異なるユーザー端画像送信装置によって発信された画像データ１０Ａの広告表示モード（図１と図５に示すように）を受信するように動作できる。あるいは、単一のユーザー端画像送信装置１０のみによって送信された画像データ１０Ａの投影表示モードを受信するのである（図４に示されるように）。
【００４９】
付加価値ルーティングサーバー２０の種類は限定されないが、本発明では、一例として、少なくとも１つのルーターシステムユニット２２と、少なくとも１つの遠隔表示サーボユニット２３とを含む。少なくとも１つのルーターシステムユニット２２は、ユーザー端画像送信装置１０を有線または無線地域ネットワーク方式で接続して、ユーザー端画像送信装置１０によって送信された画像送信プロトコルと、画像データ１０Ａとを取得する。ユーザー端画像送信装置１０の画像データ１０Ａの拡大解像度とサムネイルの解像度および予定表示位置を割り当てるための事前表示データとコマンドをあらかじめユーザー端画像送信装置１０に送信される。
【００５０】
遠隔表示サーバーユニット２３は、ユーザー端画像送信装置１０によって送信された画像送信プロトコルおよび画像データ１０Ａを受信するためにルーターシステムユニット２２に接続され、画像データの表示画像の解像度と配置表示位置とを処理して決定する。
そして、ユーザー端画像送信装置１０が送信した画像データ１０Ａの拡大解像度とサムネイルの解像度および予定表示位置を割り当てるための事前表示データとコマンドをルーターシステム部を介してユーザー側画像媒体送信用電子機器１０に事前送信する。そして、少なくとも１つの対応する画像表示スクリーン材料２１を出力する。遠隔表示サーボユニット２３は、無線画像送信機能、例えば無線ＨＤＭＩ（Ｈｉｇｈ Ｄｅｆｉｎｉｔｉｏｎ Ｍｕｌｔｉｍｅｄｉａ  Ｉｎｔｅｒｆａｃｅ）送信機の無線ＨＤＭＩ画像送信機能を有する。
【００５１】
少なくとも１つの宛先ビデオメディア表示装置３０は、付加価値ルーティングサーバー２０の遠隔表示サーボユニット２３を有線または無線で接続され、付加価値ルーティングサーバー２０の遠隔表示サーボユニット２３によって出力された画像表示画面データ２１を受信し、そして、画像表示画面データ２１を出力して表示する。表示先画像表示装置３０の型式および付加価値ルーティングサーバー２０の遠隔表示サーボユニット２３に接続される方法は限定されないが、本発明では無線投影型表示装置を例にとり、無線映像送信方式により付加価値ルートサーバーー２０の遠隔表示サーボユニット２３から出力された画像表示画面データ２１の画面を受信する。有線または無線で接続されたノートブックコンピューター、タブレットコンピューターおよびスマートフォン、あるいは有線または無線の画像受信機能を備えた液晶ディスプレイなどの他のマルチメディア画像表示装置は、本発明の範囲から逸脱しない。
【００５２】
少なくとも１つのトリガ装置４０は、ユーザー端画像送信装置１０に接続され、複数のトリガ操作ボタン４１、４２、４３、４４、４５、および４６を備えている。それぞれユーザー端画像送信装置１０の画像データ１０Ａの表示画像の位置調整、個別拡大投影および画面位置調整の上下左右の４つの方向キーを表す。ユーザーは、トリガ操作ボタン４１、４２、４３、４４、４５または４６を押して、ユーザーの画像媒体送信電子装置１０が対応するトリガ制御信号を受信した後、付加価値ルーティングサーバー２０に画像拡大表示および画像予定表示位置調整の要求コマンドを提示する。付加価値ルーティングサーバー２０は、表示先画像表示装置３０に出力される画像表示画面データ２１の表示画面の個別拡大表示または画像予定表示位置（例えば、図４のサブピクチャ２１０、２２０、２３０、２４０、２５０、２６０、２７０および２８０または図５のサブピクチャ３１０、３２０、３３０、３４０、３５０、３６０、３７０および３８０）を調整できる。各ユーザー端画像送信装置１０のトリガ装置４０に接続されたトリガ操作ボタン４１，４２，４３，４４，４５，４６がトリガされると、付加価値ルーティングサーバー２０は、最初の画像拡大表示要求および画像予定表示位置調整コマンドに応じて、ユーザー端画像送信装置１０のコマンドが優先的に実行される。他のクライアント側ビデオメディア送信電子デバイス１０の各々は、「送信中断」の一時停止許可送信プロトコル警告メッセージを返信される。トリガに成功したユーザー端画像送信装置１０の画像拡大表示および画像予備表示位置調整の要求が完了した後、返信は、他のユーザー端画像送信装置１０の画像拡大表示および画像予定表示位置調整を再度受け付けるために必要なコマンド実行状態である。
【００５３】
トリガ装置４０がユーザー端画像送信装置１０に接続される方法は限定されない。本発明では、トリガ装置４０は、ユーザー端画像送信装置１０を有線で接続するためのＵＳＢインターフェース４７を備えている。トリガ装置４０は、ユーザー端画像送信装置１０を無線で接続するための少なくとも１つの無線送信インターフェース４８を備えているので、トリガ装置４０はユーザー端画像送信装置１０を有線方式で互いにリンクする必要はない。ことにより、トリガ装置４０の用途をより柔軟にできる。トリガ装置４０の用途をより柔軟にできる。トリガ装置４０の種類は、２つの種類に限定されず、スマートフォン型であってもよく、ブルートゥース（ＢＬＵＥＴＯＯＴＨ）（登録商標）によってユーザー端画像送信装置１０に無線で接続されてもよい。また、トリガ操作ボタン４１，４２，４３，４４，４５，４６は、スマートフォン型のトリガ装置４０（図示せず）のアプリケーション（ＡＰＰ）の仮想ボタンでもよい。ユーザーは、指タッチでトリガ操作ボタン４１、４２、４３、４４、４５または４６を操作することができ、また上述したようにトリガ装置４０のトリガ操作機能を実現できる。
【００５４】
図３は本発明付加価値遠隔表示サービスの無線ルーティングサーボ装置１００の第２実施形態である。付加価値ルーティングサーバー２０のルーターシステムユニット２２は少なくとも１つの地域ネットワーク/広域ネットワーク接続ポート２２１、少なくとも１つの無線ネットワークモジュール２２２、少なくとも１つのネットワークインターフェース２２３および少なくとも１つのルーティングサーボユニット２２４により構成されていることを例にとる。地域ネットワーク/広域ネットワーク接続ポート２２１は有線ネットワーク方式でユーザー端画像送信装置１０に接続され、ユーザー端画像送信装置１０によって発信された画像送信プロトコルおよび画像データ１０Ａの拡大解像度とサムネイルの解像度および予定表示位置を割り当てるための事前表示データとコマンドをあらかじめユーザー端画像送信装置１０に送信される。
【００５５】
無線ネットワークモジュール２２２は無線ネットワーク方式でユーザー端画像送信装置１０に接続され、ユーザー端画像送信装置１０によって送信された画像送信プロトコルおよび画像データ１０Ａの拡大解像度とサムネイルの解像度および予定表示位置を割り当てるための事前表示データとコマンドをあらかじめユーザー端画像送信装置１０に送信される。
【００５６】
ネットワークインターフェース２２３は、地域ネットワーク／広域ネットワークポート２２１、無線ネットワークモジュール２２２、およびリモートディスプレイサーバーユニット２３にそれぞれ接続されて、ユーザー端画像送信装置１０によって発信された画像送信プロトコルおよび画像データ１０Ａを受信する。そして、遠隔表示サーバーユニット２２３は、ネットワークインターフェース２２３を介して、ユーザー端画像送信装置１０によって送信された画像送信プロトコルおよび画像データ１０Ａの拡大解像度とサムネイルの解像度および予定表示位置を割り当てるための事前表示データとコマンドをあらかじめ地域ネットワーク／広域ネットワークポート２２１および無線ネットワークモジュール２２２に送信され、そして、地域ネットワーク／広域ネットワークポート２２１および無線ネットワークモジュール２２２によってユーザー端画像送信装置１０に送信される。
【００５７】
ルーティングサーバーユニット２２４は、ネットワークインターフェース２２２のユーザー端画像送信装置１０によって送信された画像送信プロトコルおよび画像データ１０Ａを受信するためにネットワークインターフェース２２２に接続される。
【００５８】
本発明の付加価値遠隔表示サービスの無線ルーティングサーバー装置１００の第１の適用例である図４を参照されたい。個別のユーザー端画像送信装置１０は付加価値ルーティングサーバー２０の投影表示モードに複数の画像データ１０Ａを送信する態様が表示されている。
すなわち、シングルユーザー端画像送信装置１０が複数の画像データ１０Ａを付加価値ルーティングサーバー２０に送信する形態である。付加価値ルーティングサーバー２０は、ネットワーク帯域幅および処理するデータの容量に応じて、ユーザー端画像送信装置１０が送信する画像データの拡大解像度または縮小解像度および予備表示位置の事前表示データとコマンドを事前ユーザー端画像送信装置１０に送信する。ユーザー端画像送信装置１０は、あらかじめ設定された、例えばサムネイル処理に従って、各画像データ１０Ａの画像解像度を調整する。そして、ユーザー端画像送信装置１０が解像度調整後の画像データ１０Ａを付加価値ルーティングサーバー２０に送信する。そして、付加価値ルーティングサーバー２０は、画像データ１０Ａの表示位置を自動的に配置し、対応する画像表示画面データ２１を表示先画像表示装置３０に出力して対象画面２００を形成する。対象画面２００内のサブ画面２１０、２２０、２３０、２４０、２５０、２６０、２７０、および２８０のそれぞれは、ユーザー端画像送信装置１０の各画像データ１０Ａに対応する表示画面である。対象画面２００は、さまざまな広告プレビュー画像、会議プレゼンテーション画像、または広告ウォール画像パターンとできる。ユーザーは、トリガ装置４０のトリガ操作ボタン４１〜４６の押下操作に応じて、ユーザー端画像送信装置１０は、トリガ操作ボタン４１〜４６の押下操作状態により、画像拡大表示および画像予備表示位置の調整コマンドを付加価値経路サーバー２０に要求する。付加価値ルーティングサーバー２０は、対象画面２００の各サブ画面２１０〜２８０の拡大表示または表示位置を調整できる。シングルユーザービデオメディア送信電子デバイス１０によって送信される複数の画像データ１０Ａの投射モードは、屋内または屋外投射または非投射のさまざまな広告プレビュー画像、会議プレゼンテーション画像、または広告ウォール画像表示アプリケーションに使用できる。大衆輸送システムにおける高速鉄道、ＭＲＴ、ツアーバス、またはタクシーの広告プレビュー画像または広告ウォール画像の目的画面２００を利用して、適用効果および範囲を表示できる。
【００５９】
図５は本発明の付加価値遠隔表示サービスの無線ルーティングサーボ装置の第２適用例である。複数のユーザー端画像送信装置１０が複数の画像データ１０Ａを付加価値ルーティングサーバー２０に送信する広告表示モードが表示される。すなわち、複数のユーザー端画像送信装置１０によって少なくとも１つの画像データ１０Ａを付加価値ルーティングサーバー２０に送信するモードである。付加価値ルーティングサーバー２０は、ネットワーク帯域幅およびデータ処理の容量に応じて、ユーザー端画像送信装置１０が送信する画像データの拡大または縮小解像度および予備表示位置の事前表示データとコマンドとをユーザー端画像送信装置１０に事前送信する。ユーザー端画像送信装置１０は、あらかじめ設定された、例えばサムネイル処理に従って、各画像データ１０Ａの画像解像度を調整する。そして、ユーザー端画像送信装置１０が解像度調整後の画像データ１０Ａを付加価値ルーティングサーバー２０に送信する。そして、付加価値ルーティングサーバー２０は、画像データ１０Ａの表示位置を自動的に配置し、対応する画像表示画面データ２１を表示先画像表示装置３０に出力して対象画像３００を形成する。対象画面２００内のサブ画面３１０、３２０、３３０、３４０、３５０、３６０、３７０、および３８０のそれぞれは、ユーザー端画像送信装置１０の各画像データ１０Ａに対応する表示画面である。それは、さまざまな広告プレビュー画像、会議プレゼンテーション画像、または広告ウォール画像にできる。ユーザーは、各トリガ装置４０のトリガ操作ボタン４１〜４６の押下操作に応じて、ユーザー端画像送信装置１０がトリガ操作ボタン４１〜４６の押下操作によって、付加価値ルーティングサーバー２０に画像拡大表示および画像予備表示位置の調整を要求する。付加価値ルーティングサーバー２０は、対象画面３００の各サブ画面３１０〜３８０の拡大表示または表示位置を調整できる。複数のユーザー端画像送信装置１０が複数の画像データ１０Ａを送信するモードは、購入者のさまざまな広告プレビュー画像、会議プレゼンテーション画像、または広告ウォール画像、および製品販路または店舗に使用できる。付加価値ルーティングサーバー２０の同じ地域ネットワークまたは無線地域ネットワーク内の購入者および販売者をより効率的に双方ユーザーの売買を促進することができ、より効果的に広告プレビューを入手し、取引マッチングの可能性を高めることができる。
【００６０】
本発明の付加価値遠隔表示サービスの無線ルーティングサーボ方法のフローチャートである図６を参照されたい。そのステップはステップ４１０〜４８５を含む。
（４１０）ユーザー端画像送信装置は接続が可能な付加価値ルーティングサーバーを検索し、少なくとも１つのユーザー端画像送信装置１０は有線または無線地域ネットワーク方式で接続が可能な少なくとも１つの付加価値ルーティングサーバー２０を検索する。
（４２０）ユーザー端画像送信装置は、接続が可能な付加価値ルーティングサーバーに接続され、ステップ（４１０）の少なくとも１つのユーザー端画像送信装置１０は、有線または無線地域ネットワーク接続ステップ（４１０）において、ユーザー端画像送信装置１０を介して接続できる少なくとも１つの付加価値経路を検索する。
（４３０）付加価値ルーティングサーバーは、ユーザー端画像送信装置１０の画像表示解像度と表示位置をあらかじめ決めておく。ステップ（４２０）における接続回線の付加価値ルーティングサーバー２０はネットワーク帯域幅およびデータ処理の容量に従って、ユーザー端画像送信装置１０によって送信される画像データ１０Ａの拡大または縮小された解像度および予備表示位置を割り当てるための事前表示データとコマンドとが事前ユーザー端画像送信装置１０に配信される。
（４４０）ユーザー端画像送信装置は、画像データの画像解像度を調整する。ステップ（４３０）のユーザー端画像送信装置１０は、付加価値ルーティングサーバー２０の事前表示データとコマンドとに従って、ユーザー端画像送信装置１０の画像表示解像度を調整する。
（４５０）付加価値ルーティングサーバーは、送信プロトコルをユーザー端画像送信装置機器に送信する。ステップ（４３０）の付加価値ルーティングサーバー２０は、ステップ（４４０）における全てのユーザー端画像送信装置１０の表示要求数に応じて、各ユーザー端画像送信装置１０が送信すべき画像表示データの表示画面サイズ、区域アドレス、画像音声、マウスカーソル、送信停止などの送信プロトコル要求を決定し、各ユーザー端画像送信装置１０に送信される。
（４６０）ユーザー端画像送信装置は、調整された画像表示データを付加価値ルーティングサーバーに送信する。ステップ（４５０）のユーザー端画像送信装置１０は、ステップ（４５０）の付加価値ルーティングサーバー２０が各ユーザー端画像送信装置に送信した送信プロトコルに従って調整された画像データ１０Ａを付加価値ルーティングサーバー２０に送信する。
（４７０）付加価値ルーティングサーバーは、画像表示画面データを少なくとも一つの表示先画像表示装置に送信する。ステップ（４６０）の付加価値ルーティングサーバー２０は、各ユーザー端画像送信装置１０によって送信された調整済み画像表示データを自動的に配置し、少なくとも１つの表示先画像表示装置３０に表示するための画像表示画面データ２１を出力する。
（４８０）表示画面調整要求がユーザー端画像送信装置により発行されているか。すなわち、ステップ（４６０）の付加価値ルーティングサーバー２０は、ユーザー端画像送信装置１０が全画面、複数画面、および変位画面の要求メッセージを発行したかどうかを検出する。そうであればステップ（４８５）に進み、そうでなければステップ（４７０）を繰り返す。
（４８５）付加価値ルーティングサーバーは表示画面を受信し、調整処理を行う。ステップ（４８０）の付加価値ルーティングサーバー２０は、ユーザー端画像送信装置１０の全画面、複数画面、および変位画面の要求メッセージに従って配置表示画面を再調整し、ステップ（４５０）を繰り返す。
【００６１】
図６に示す本発明の付加価値遠隔表示サービスの無線ルーティングサーボ方法のフローチャートのステップ４００から４８５は、制御ソフトウエアモードまたはアプリケーションモードでユーザー端画像送信装置１０の内部および付加価値ルーティングサーバー２０にプレインストールされることができる。
【００６２】
上記図１から図６に示す本発明の付加価値遠隔表示サービスの無線ルーティングサーボ装置および方法において、開示された関連する説明および図面は単に本発明の技術的内容および技術手段を明確にするための好ましい実施形態の１つにすぎず、その範囲を限定しない。さらに、本発明の詳細な構造上または要素に対する詳細な代替改変は、本発明の発明精神および範囲から逸脱しない。本発明の範囲は、添付の特許請求の範囲によって定義される。
【符号の説明】
【００６３】
１００  付加価値遠隔表示サービスの無線ルーティングサーボ装置
１０  ユーザー端画像送信装置
１０Ａ  画像データ
１１ ＵＳＢインターフェース
１２  無線ネットワーク送信装置
１３  有線イーサネット送信装置
２０  付加価値ルーティングサーバー
２００  対象画面
２０１  画像表示画面データ
２１０  サブ画面
２２  ルーターシステムユニット
２２０  サブ画面
２２１  地域ネットワーク/広域ネットワーク接続ポート
２２２  無線ネットワークモジュール
２２３  ネットワークインターフェース
２２４  ルーティングサーボユニット
２３  遠隔表示サーボユニット
２３０  サブ画面
２４  遠隔表示サーボユニット
２４０  サブ画面
２５０  サブ画面
２６０  サブ画面
２７０  サブ画面
２８０  サブ画面
３０    表示先画像表示装置
３００  対象画面
３１０  サブ画面
３２０  サブ画面
３３０  サブ画面
３４０  サブ画面
３５０  サブ画面
３６０  サブ画面
３７０  サブ画面
３８０  サブ画面
４０  トリガ装置
４１  トリガ操作ボタン
４２  トリガ操作ボタン
４３  トリガ操作ボタン
４４  トリガ操作ボタン
４５  トリガ操作ボタン
４６  トリガ操作ボタン
４７  ＵＳＢインターフェース
４８  無線送信インターフェース
【図１】
2020014192.tif 000003
【図２】
2020014192.tif 000004
【図３】
2020014192.tif 000005
【図４】
2020014192.tif 000006
【図５】
2020014192.tif 000007
【図６】
2020014192.tif 000008